(57)【要約】      （修正有）【課題】軒樋保形具を寸法の異なる軒樋で共用でき、多少の変形が生じている軒樋に対しても簡易な操作で確実に取り付けることができる軒樋保形具の提供。【解決手段】軒樋壁面を支持する軒樋保形具１を一側に軒樋壁面部との係合部３１を有する一対の支持片２，３を組み合わせて構成する。両支持片２，３の他側には連結位置を調節して互いに結合一体化する連結機構４を設ける。連結機構４は、例えば一方の支持片３に形成された通孔３２に他方の支持片２に設けた突部２２を差し入れ、当該突部２２の表面に列設された突条を通孔３２の縁部に掛止させて両支持片２，３が連結する構造とする。【選択図】図３
2006265929.tif 000002
【特許請求の範囲】
【請求項１】
軒樋の対向壁面部間に架け渡して取り付けられる軒樋壁面を支持する軒樋保形具において、
一側に軒樋壁面部との係合部を有する一対の支持片からなり、両支持片の他側に連結位置を調節して互いに結合一体化する連結機構を備えて構成されていることを特徴とする軒樋保形具。
【請求項２】
一方の支持片に形成された通孔に他方の支持片に設けた突部を差し入れ、当該突部の表面に列設された突条を通孔の縁部に掛止させて両支持片が連結する請求項１に記載の軒樋保形具。
【請求項３】
一方の支持片に複数の通孔を列設し、この通孔に他方の支持片に設けた突部を嵌合させて両支持片が連結する請求項１に記載の軒樋保形具。
【発明の詳細な説明】
【技術分野】
【０００１】
本発明は、軒樋の内外壁面の変形を防止するために軒樋の開口部に取り付けて軒樋壁面を支持する保形具に関する。
【背景技術】
【０００２】
家屋の軒端に取り付けられる軒樋は、冬季に樋の中に積もった雪や氷塊の重みで変形したり、夏季には太陽光の直射を受けて撓んだりすることがある。とりわけ、図１０に示されるような、軒樋Ｇの、樋支持金具１０１、１０１の間の中間部分Ｇｃでは、軒樋Ｇの外周面を支持する部材が取り付けられていないため、軒樋壁面に外力が加わったり熱応力が生じたりしたときに変形を来たし易い。
【０００３】
このような軒樋の変形を防止するため、樋支持金具１０１、１０１の取り付け間隔を狭くしたのでは、軒樋施工に要する材料と工数が増えてコスト高となる。そのため、従来は針金を軒樋の外周面に巻きつけて補強したり、或いは図１１に示されるような帯状鋼板からなる結束金具１０２を軒樋Ｇの上部に架け渡し、その両端部１０２ａ、１０２ａを軒樋Ｇの壁面上端部に外嵌合させて結束金具１０２で軒樋壁面を支持したりして軒樋の変形を防止していた（例えば特許文献１参照）。
【０００４】
【特許文献１】登録実用新案第３０１７０７９号公報
【発明の開示】
【発明が解決しようとする課題】
【０００５】
針金は軒樋の形状や大きさを問わず、その外周面に容易に巻きつけることが可能であり、ある程度変形している軒樋に巻き付けて変形が拡大するのを防止することも可能である。しかし、針金を利用したのでは、軒樋の下面に針金が露出して見た目を悪くし、軒先の外観を損なう。
また、図示した形態の結束金具１０２は、軒下からは軒樋に装着した状態が見えず、軒先の外観を損なうことはない。しかし、結束金具１０２は特定の軒樋に取り付けることができるように形成されているため、異なる大きさの軒樋で共用することはできない。また、軒樋が少しでも変形していると、両端部１０２ａ、１０２ａが軒樋の壁面上端部にしっかりと嵌まらなかったり、嵌まっても取れ外れやすくなったりすることがある。そのため、ある程度の変形が生じている軒樋に取り付ける場合には、変形した軒樋の壁面部分を手で押さえつけるなどして元の形状に正確に復元させる必要があり、屋根廻りの造作完了後に結束金具１０２を後付けする作業は極めて面倒なものとなる。
【０００６】
本発明は従来技術の有するこのような問題点に鑑み、軒樋の変形を防止するための軒樋保形具を、寸法の異なる軒樋で共用が可能であり、また、多少の変形が生じている軒樋に対しても簡易な操作で確実に取り付けることができるようにすることを課題とする。
【課題を解決するための手段】
【０００７】
前記課題を解決するため本発明は、軒樋の対向壁面部間に架け渡して取り付けられる軒樋壁面を支持する軒樋保形具において、一側に軒樋壁面部との係合部を有する一対の支持片からなり、両支持片の他側に連結位置を調節して互いに結合一体化する連結機構を備えて構成されていることを特徴とする。
【０００８】
連結位置を調節して支持片の端部同士を結合する連結機構は、例えば一方の支持片に形成された通孔に他方の支持片に設けた突部を差し入れ、当該突部の表面に列設された突条を通孔の縁部に掛止させて両支持片が連結するように構成することができる。また、一方の支持片に複数の通孔を列設し、この通孔に他方の支持片に設けた突部を嵌合させて両支持片が連結するように構成することもできる。
【０００９】
前記構成の軒樋保形具は、軒樋の内外壁面部にそれぞれ両支持片の一側に設けた係合部を取り付けた状態で、両支持片の他側面同士を軒樋の開口上で突き合わせ、互いに重なり合わさった他側面同士を連結機構で結合一体化することにより軒樋の壁面部間に一体に固定される。大きさの異なる軒樋や若干変形して壁面部間が開いている軒樋に取り付ける場合には、開口上の両支持片の重なり合った部分をずらし、連結位置を調節することで両支持片の両端部間の間隔を伸縮させ、取り付ける軒樋の内外壁面部間の間隔に合わせればよい。
【００１０】
軒樋保形具を構成する支持片は、ステンレスやアルミニウムなどの鋼材又は塩化ビニル樹脂などのプラスチックを用い、板金加工又は射出成形により形成することができる。支持片の一側に設ける係合部は、取り付ける軒樋の壁面部の形状に応じて形成され、例えば係合箇所が壁面部外側であれば壁面部上端に外嵌合する形状、内側であれば壁面部上端に内嵌合するする形状に形成することができ、要は係合部が壁面部に確実且つ強固に固定される適宜な形態に設けることができる。両支持片に設ける連結機構も、前記例示の形態の他に、支持片同士で連結位置の調整が可能であり、確実且つ強固に結合可能な適宜な形態に設けることができる。
【００１１】
本発明の軒樋保形具によれば、軒樋の内側壁面部と外側壁面部にそれぞれ支持片の係合部を取り付け、両支持片の他側同士を重ね合わせ、連結機構で結合一体化することにより軒樋に取り付けることができる。両支持片の連結は、軒樋の開口中央で支持片の端部同士を重ね合わせて結合するという簡易な操作で行うことができる。また、連結位置の調節は支持片端部の重なった部分を相互にずらして行え、連結位置を調節して保形具の両端部間の間隔を伸縮させることにより、大きさの異なる軒樋や変形している軒樋にも取り付けが可能である。
軒樋に一体に取り付けられた保形具は、軒樋の内外壁面部を支持して壁面部が変形したり撓んだりすることを防止し、軒樋の形状は施工当初の形状に保持される。また、保形具は軒樋の上部に架け渡して取り付けてあるので、軒下から目につかず、軒先の外観を損なうこともない。
【発明を実施するための最良の形態】
【００１２】
本発明の好適な一実施形態を図面を参照して説明する。
図１は本発明の一実施形態の軒樋保形具の外観平面図と側面図、図２は支持片の連結部を拡大して示した図、図３は図１の保形具を軒樋に取り付けた状態を示した図、図４は連結部の他の形態を拡大して示した図、図５は本発明の他の実施形態の軒樋保形具の外観平面図と側面図、図６は支持片の連結部を拡大して示した図、図７は図６のVII−VII線に沿った切断端面図、図８は連結部の連結操作を説明するための支持片の断面図、図９は図５の保形具を軒樋に取り付けた状態を示した図である。
【００１３】
本発明の軒樋保形具１は、それぞれ軒樋Ｇの壁面部Ｇｗ、Ｇｗ間の幅（Ｒ）の２／３程度の長さ寸法で帯状に形成された一対の支持片２、３からなり、両支持片の一側に軒樋壁面部Ｇｗの上端部に係合する係合部２１、３１を設け、両係合部を壁面部Ｇｗに取り付けた状態で軒樋Ｇの開口Ｇｈ上で重なる両支持片の他側の部分には連結機構４を設け、この連結機構４で連結位置を調節して両支持片を互いに結合一体化することにより、壁面部Ｇｗ、Ｇｗ間に架け渡して軒樋Ｇに取り付けられるように構成してある（図３、図９参照）。
【００１４】
図１〜図３に示した形態の保形具１は、支持片２、３の一側に設けた係合部２１、３１が、それぞれ支持片の端部をＵ字状に湾曲させて軒樋Ｇの壁面部Ｇｗの上端部に外嵌合するように設けてある。また、支持片２の他側端部に形成された突部２２と支持片３の他側に形成された孔部３２とにより連結機構４を構成し、突部２２を孔部３２に通して掛止して両片を結合できるようになっている。
【００１５】
詳しくは、図２に示されるように、突部２２は、支持片２の端部に細幅な部分を設け、その両側面にのこぎり目状に凹凸した突条２２ａ、２２ａを設けてなっている。また、孔部３２は、支持片３の端部に設けた表裏を貫通する孔であって、突条２２ａ、２２ａの広幅な部分が貫通する通孔３２ａと細幅な部分が貫通する通孔３２ｂとを一体に設けてなっている。そして、突部２２を支持片３の裏面側から孔部３２の通孔３２ａ内に差し通して表側へ引き出し、引き出し長さを調節して突部２２を通孔３２ｂ側へ押し込むと、突条２２ａ、２２ａが通孔３２ｂの両側縁部に掛止して、当該掛止位置で支持片２と支持片３が一体に結合するようになっている。
【００１６】
このように形成された本形態の保形具１は、図３に示されるように、軒樋Ｇの壁面部Ｇｗ、Ｇｗ上端にそれぞれ係合部２１、３１を係合させて支持片２、３を取り付け、両支持片の端部を軒樋開口部Ｇｈ上で突き合わせた状態で、支持片２の突部２２を孔部３２に差し通し、両支持片が撓まないように連結位置を調節した上で、突部２２を孔部３２に掛止して両支持片を結合一体化することにより、軒樋Ｇの壁面部Ｇｗ、Ｇｗ間に一体に固定することができる。
【００１７】
なお、突部２２の突条２２ａと孔部３２は、例えば図４に示されるように、突条２２ａを支持片２の下面に設け、孔部３２を支持片３の屈曲させた端部に設けるとともに当該孔部内に突条２２ａと係合する突起３２ｃを形成しておき、孔部３２内に通した突部２２の突条２２ａが突起３２ｃに掛止することにより両支持片が結合する構造としてもよい。
【００１８】
図５〜図９に示した形態の保形具１は、支持片２、３の一側に設けた係合部２１、３１が、それぞれ支持片の端部を上向き鉤形に屈曲させて軒樋Ｇの壁面部Ｇｗの内壁上端部に内嵌合するように設けてある。また、支持片２の他側端部に形成された突部２２と支持片３の他側に形成された孔部３２により連結機構４を構成し、突部２２を孔部３２に嵌合させて両片を連結できるようになっている。
【００１９】
詳しくは、図６及び図７に示されるように、連結機構４を構成する突部２２は、支持片２の端部上面に、上から大中小の径の異なる円柱を同心に重ねて突出させた形状に設けてある。また、孔部３２は、支持片３の端縁から突部２２の小径部よりも僅かに幅の広いスリット３２ｄを適宜な長さで設けるとともに、このスリットに沿って突部２２の中径部と同径の通孔３２ｅを所定の間隔を開けて複数列設してなっている。そして、図８に示されるように、突部２２の小径部を支持片３の端縁からスリット３２ｄ内に差し入れて当該スリットに沿って突部２２をスライドさせ（同図（Ａ））、適宜な位置の通孔３２ｅ上に突部２２を重ねた状態で突部２２を下方へ押し込むと、突部２２の中径部が通孔３２ｅに嵌合し（同図（Ｂ））、当該嵌合位置で支持片２と支持片３が一体に結合するようになっている。
【００２０】
このように形成された本形態の保形具１は、図９に示されるように、軒樋Ｇの壁面部Ｇｗ、Ｇｗに内側にそれぞれ係合部２１、３１を係合させて支持片２、３を取り付け、両支持片の端部を軒樋開口部Ｇｈ上で突き合わせた状態で、支持片２の突部２２を孔部３２に通し、両支持片が撓まないように連結位置を調節した上で、突部２２を孔部３２に嵌合して両支持片を結合一体化することにより、軒樋Ｇの壁面部Ｇｗ、Ｇｗ間に一体に固定することができる。
【００２１】
本発明の軒樋保形具によれば、軒樋の内側壁面部と外側壁面部にそれぞれ支持片の係合部を取り付け、軒樋の開口中央で突き合う支持片の端部同士を重ね合わせ、重なり部を相互にずらして連結位置を調節した上で、両支持片に形成された突部と孔部を連結するとい簡易な操作で取り付けることが可能であり、連結位置を調節して両端部間の間隔を伸縮することで、大きさの異なる軒樋や変形している軒樋にも取り付けることができる。軒樋に一体に取り付けられた保形具により、軒樋の内外壁面部を支持して壁面部が変形したり撓んだりすることを防止し、軒樋の形状を施工当初の形状に保持することが可能である。
【００２２】
なお、図示した保形具や支持片、連結機構、軒樋の形態は一例であり、本発明は図示した形態に限定されず、他の適宜な形態に構成可能である。
【図面の簡単な説明】
【００２３】
【図１】本発明の一実施形態の保形具の外観平面図と側面図である。
【図２】支持片の連結部を拡大して示した図である。
【図３】図１の保形具を軒樋に取り付けた状態を示した図である。
【図４】（Ａ）、（Ｂ）、（Ｃ）は連結部の他の形態を拡大して示した図である。
【図５】本発明の他の実施形態の保形具の外観平面図と側面図である。
【図６】支持片の連結部を拡大して示した図である。
【図７】図６のVII−VII線に沿った切断端面図である。
【図８】（Ａ）、（Ｂ）は連結部の連結操作を説明するための支持片の断面図である。
【図９】図５の保形具を軒樋に取り付けた状態を示した図である。
【図１０】樋支持金具を取り付けた軒樋の外観図である。
【図１１】従来の結束金具の外観図である。
【符号の説明】
【００２４】
１  保形具、２、３  支持片、２１、３１  係合部、２２  突部、３２  孔部、４  連結機構、Ｇ  軒樋
【図１】
2006265929.tif 000003
【図２】
2006265929.tif 000004
【図３】
2006265929.tif 000005
【図４】
2006265929.tif 000006
【図５】
2006265929.tif 000007
【図６】
2006265929.tif 000008
【図７】
2006265929.tif 000009
【図８】
2006265929.tif 000010
【図９】
2006265929.tif 000011
【図１０】
2006265929.tif 000012
【図１１】
2006265929.tif 000013